【手続補正書】
【提出日】平成21年10月19日(2009.10.19)
【手続補正１】
【補正対象書類名】特許請求の範囲
【補正対象項目名】全文
【補正方法】変更
【補正の内容】
【特許請求の範囲】
【請求項１】
通信パラメータを管理する管理装置と通信装置との間で通信パラメータを設定する方法であって、
前記通信装置又は前記管理装置は、通信装置へ通信パラメータを設定する設定モードの管理装置を検出する検出工程と、
前記管理装置は、前記検出工程において前記設定モードの管理装置が複数検出された場合に、前記設定モードの複数の管理装置が管理する通信パラメータを比較する比較工程と、
前記管理装置は、前記比較工程による比較の結果に応じて、前記通信パラメータを通信装置に設定するための設定モードの状態を継続、もしくは、通信装置に通信パラメータを設定せずに前記設定モードを終了する工程と、
を有することを特徴とする通信パラメータの設定方法。
【請求項２】
前記通信装置又は前記管理装置は、前記検出工程において前記設定モードの管理装置が複数検出された場合に、前記設定モードの管理装置が複数存在することを、前記設定モードの管理装置に通知する通知工程を有することを特徴とする請求項１に記載の通信パラメータの設定方法。
【請求項３】
前記管理装置が前記設定モードを終了した場合に、前記通信パラメータの設定のための操作をユーザに促す表示を行う表示工程を有することを特徴とする請求項１又は請求項２に記載の通信パラメータの設定方法。
【請求項４】
前記管理装置が前記設定モードを終了した後に、前記通信装置において該通信装置に通信パラメータを設定するための設定モードへの遷移のための操作が行われると、該通信装置は、該通信装置が始めに検出した前記設定モードの管理装置との間で通信パラメータの設定処理を行うことを特徴とする請求項３に記載の通信パラメータの設定方法。
【請求項５】
前記比較工程における比較は、該管理装置が管理対象とする基地局が送信する信号に基づいて行われることを特徴とする請求項１乃至請求項４のいずれか１項に記載の通信パラメータの設定方法。
【請求項６】
前記検出工程において前記設定モードの管理装置が複数検出された場合に、前記通信装置は、前記基地局からの信号の状態に基づいて、該通信装置との間で通信パラメータの設定を行う管理装置を選択する選択工程を有することを特徴とする請求項５に記載の通信パラメータの設定方法。
【請求項７】
前記検出工程において前記設定モードの管理装置が複数検出された場合に、前記通信装置は、前記基地局からの信号の状態に基づいて、該通信装置との間で通信パラメータの設定を行う管理装置を選択するか否かを判断する判断工程と、
前記判断工程における判断に応じて、前記設定モードの管理装置が複数存在することを、前記設定モードの管理装置に通知する通知工程を有することを特徴とする請求項５に記載の通信パラメータの設定方法。
【請求項８】
前記選択工程において選択された管理装置に前記通信装置に対応する表示を行わせる表示工程を有することを特徴とする請求項６に記載の通信パラメータの設定方法。
【請求項９】
通信装置へ通信パラメータを設定する設定モードの管理装置を検出する検出手段と、
前記検出手段により前記設定モードの管理装置が複数検出された場合に、前記設定モードの管理装置が複数存在することを、前記設定モードの管理装置に通知する通知手段と、
を有することを特徴とする通信装置。
【請求項１０】
前記検出手段は、前記設定モードの管理装置が管理対象とする基地局が送信する信号に基づいて行われることを特徴とする請求項９に記載の通信装置。
【請求項１１】
前記検出手段により前記設定モードの管理装置が複数検出された場合に、前記通知手段は、前記複数の管理装置が管理する通信パラメータに応じて、前記通知を行うことを特徴とする請求項９または請求項１０に記載の通信装置。
【請求項１２】
前記設定モードの管理装置が前記設定モードを終了したことを検知する検知手段と、
前記検知手段による検知に基づいて、前記通信装置の設定モードを終了する終了手段と、を有することを特徴とする請求項９乃至請求項１１のいずれか１項に記載の通信装置。
【請求項１３】
前記設定モードの管理装置が前記設定モードを終了したことを検知する検知手段と、
前記検知手段による検知に応じて、前記通信パラメータの設定のための操作をユーザに促す表示を行う表示手段を有することを特徴とする請求項９乃至請求項１２のいずれか１項に記載の通信装置。
【請求項１４】
前記管理装置が前記設定モードを終了した後に、前記通信装置において該通信装置に通信パラメータを設定するための設定モードへの遷移のための操作が行われると、該通信装置は、該通信装置が始めに検出した前記設定モードの管理装置との間で通信パラメータの設定処理を行うことを特徴とする請求項１３に記載の通信装置。
【請求項１５】
前記検出手段により前記設定モードの管理装置が複数検出された場合に、前記基地局からの信号の状態に基づいて、通信パラメータの設定を行う管理装置を選択する選択手段を有することを特徴とする請求項１０に記載の通信装置。
【請求項１６】
前記検出手段により前記設定モードの管理装置が複数検出された場合に、前記基地局からの信号の状態に基づいて、通信パラメータの設定を行う管理装置を選択するか否かを判断する判断手段と、
前記通知手段は、前記判断手段による判断に応じて、前記通知を行うことを特徴とする請求項１０に記載の通信装置。
【請求項１７】
前記選択手段により選択された管理装置に、前記通信装置に対応する表示を行わせる情報を送信する送信手段を有することを特徴とする請求項１５に記載の通信装置。
【請求項１８】
通信装置に設定する通信パラメータを管理する管理装置であって、
通信装置に設定する通信パラメータを管理する管理手段と、
通信装置に通信パラメータを設定する設定モードの他の管理装置を検出する検出手段と、
前記検出手段により検出された前記他の管理装置が管理する通信パラメータと前記管理手段により管理される通信パラメータとを比較する比較手段と、
前記比較手段による比較の結果に応じて、前記通信パラメータの設定を継続するか否かを判断する判断手段と、
を有することを特徴とする管理装置。
【請求項１９】
通信装置に通信パラメータを設定する設定モードへの遷移、または、前記設定モードの終了を、前記管理装置が管理対象とする基地局に通知する通知手段と、を有することを特徴とする請求項１８に記載の管理装置。
【請求項２０】
前記基地局が送信する信号の内容変更を前記基地局に要求する要求手段と、を有することを特徴とする請求項１８または請求項１９に記載の管理装置。
【請求項２１】
前記検出手段は、前記通信装置からの通知に基づいて前記他の管理装置を検出することを特徴とする請求項１８乃至請求項２０のいずれか１項に記載の管理装置。
【請求項２２】
前記検出手段は、基地局からの信号に基づいて前記他の管理装置を検出することを特徴とする請求項１８乃至請求項２０のいずれか１項に記載の管理装置。
【手続補正２】
【補正対象書類名】明細書
【補正対象項目名】００１０
【補正方法】変更
【補正の内容】
【００１０】
本発明は、通信パラメータを管理する管理装置と通信装置との間で通信パラメータを設定する方法であって、前記通信装置又は前記管理装置は、通信装置へ通信パラメータを設定する設定モードの管理装置を検出する検出工程と、前記管理装置は、前記検出工程において前記設定モードの管理装置が複数検出された場合に、前記設定モードの複数の管理装置が管理する通信パラメータを比較する比較工程と、前記管理装置は、前記比較工程による比較の結果に応じて、前記通信パラメータを通信装置に設定するための設定モードの状態を継続、もしくは、通信装置に通信パラメータを設定せずに前記設定モードを終了する工程と、を有することを特徴とする通信パラメータの設定方法を提供する。
【手続補正３】
【補正対象書類名】明細書
【補正対象項目名】００１１
【補正方法】変更
【補正の内容】
【００１１】
また、通信装置へ通信パラメータを設定する設定モードの管理装置を検出する検出手段と、前記検出手段により前記設定モードの管理装置が複数検出された場合に、前記設定モードの管理装置が複数存在することを、前記設定モードの管理装置に通知する通知手段と、を有することを特徴とする通信装置を提供する。
【手続補正４】
【補正対象書類名】明細書
【補正対象項目名】００１２
【補正方法】変更
【補正の内容】
【００１２】
また、通信装置に設定する通信パラメータを管理する管理装置であって、通信装置に設定する通信パラメータを管理する管理手段と、通信装置に通信パラメータを設定する設定モードの他の管理装置を検出する検出手段と、前記検出手段により検出された前記他の管理装置が管理する通信パラメータと前記管理手段により管理される通信パラメータとを比較する比較手段と、前記比較手段による比較の結果に応じて、前記通信パラメータの設定を継続するか否かを判断する判断手段と、を有することを特徴とする管理装置を提供する。